(57)【要約】【課題】蓄電体３を備えていても、全体の体積の増加を少なくできるコネクタ１０１を提供する。【解決手段】本発明に係るコネクタ１０１は、他の装置５００と電気的に接続される接続部１０２と蓄電体３とを備え、蓄電体３の少なくとも一部が接続部１０２の内部に配置されることを特徴とする。【選択図】図１
2016207501.tif 000002
【特許請求の範囲】
【請求項１】
他の装置と電気的に接続される接続部と蓄電体と
を備え、
前記蓄電体の少なくとも一部が前記接続部の内部に配置される、コネクタ。
【請求項２】
前記蓄電体は、前記接続部を介して前記他の装置からの給電により充電される、請求項１に記載のコネクタ。
【請求項３】
前記接続部は、他の装置と電気的に接続される筺体を有する、請求項１又は２に記載のコネクタ。
【請求項４】
前記筺体は、それぞれが他の装置と電気的に接続される複数の導電部を有し、
前記複数の導電部同士は、間に絶縁性部材を介して接合される、請求項３に記載のコネクタ。
【請求項５】
前記筺体は、前記蓄電体を内部に収容し封止されている、請求項３又は４に記載のコネクタ。
【請求項６】
前記蓄電体は、
正極層と、負極層と、該正極層と該負極層との間に配置されたセパレータ層とを積層し、巻回した積層シートと、
該積層シートに含浸させる電解液と、
前記積層シートと前記電解液とを覆う絶縁性の包装部材と、
を少なくとも有する
請求項１乃至５に記載のコネクタ。
【請求項７】
前記蓄電体は、シート状の電池を巻回し又は折り畳んだものである、請求項１乃至５に記載のコネクタ。
【発明の詳細な説明】
【技術分野】
【０００１】
本発明は、蓄電体を備えるコネクタに関するものである。
【背景技術】
【０００２】
近年、携帯情報端末が高性能化及び多機能化されるのに伴い、携帯情報端末に接続して新しい機能を追加するモジュールの開発が進められている。例えば、特許文献１には、様々な携帯端末に容易に接続できる肌特性測定器及びこの肌特性測定器を接続した携帯端末が開示されている。
【０００３】
この特許文献１に記載の肌特性測定器及び携帯端末によれば、携帯端末のイヤホンジャックに肌特性測定器を接続するのみで肌特性の測定という新たな機能を追加することが可能である。しかし、この肌特定測定器は電源を内部に有していないため、肌特性の測定を行うためには携帯端末から常時電力の供給を受ける必要がある。
【０００４】
このような問題に対して、特許文献２には、電池を内蔵しつつ、平面的なサイズを最小限に抑えることが可能な腕装着型電子歩数計が開示されている。この腕装着型電子歩数計は電池を内蔵しているため、他の携帯端末に依存することなく単独で歩数の測定という機能を実現することができる。従って、この腕装着型電子歩数計は、測定に直接必要ではない電力の消費を抑えることが可能である。
【先行技術文献】
【特許文献】
【０００５】
【特許文献１】特開２０１４−１４４２３号公報
【特許文献２】特開２００８−３３４６７号公報
【発明の概要】
【発明が解決しようとする課題】
【０００６】
しかし、特許文献２に記載の腕装着型電子歩数計は、電池と他の機能部品とを厚み方向に重ねることにより平面的なサイズを抑えるものである。従って、内蔵する電池の体積の分だけ歩数計の体積が増加するという問題があった。
【０００７】
かかる点に鑑みてなされた本発明の目的は、蓄電体を内蔵しても、全体の体積の増加を少なくできるコネクタを提供することである。
【課題を解決するための手段】
【０００８】
上記課題を解決するため、本発明に係るコネクタは、他の装置と電気的に接続される接続部と蓄電体とを備え、前記蓄電体の少なくとも一部が前記接続部の内部に配置されることを特徴とする。
【０００９】
また、前記蓄電体は、前記接続部を介して前記他の装置からの給電により充電されることが好ましい。
【００１０】
また、前記接続部は、他の装置と電気的に接続される筺体を有することが好ましい。
【００１１】
また、前記筺体は、それぞれが他の装置と電気的に接続される複数の導電部を有し、前記複数の導電部同士は、間に絶縁性部材を介して接合されることが好ましい。
【００１２】
また、前記筺体は、前記蓄電体を内部に収容し封止されていることが好ましい。
【００１３】
また、前記蓄電体は、正極層と、負極層と、該正極層と該負極層との間に配置されたセパレータ層とを積層し、巻回した積層シートと、該積層シートに含浸させる電解液と、前記積層シートと前記電解液とを覆う絶縁性の包装部材とを少なくとも有することが好ましい。
【００１４】
また、前記蓄電体は、シート状の電池を巻回し又は折り畳んだものであることが好ましい。
【発明の効果】
【００１５】
本発明に係るコネクタによれば、蓄電体を内蔵しても、全体の体積の増加を少なくすることが可能となる。
【図面の簡単な説明】
【００１６】
【図１】本発明の第１実施形態に係る電子機器の構成を示す図である。
【図２】本発明の第１実施形態に係る電子機器における接続部の構成を示す図である。
【図３】本発明の第１実施形態に係る電子機器が備える蓄電体の構成を示す図である。
【図４】本発明の第１実施形態に係る電子機器において、充電時の信号処理を示すブロック図である。
【図５】本発明の第１実施形態に係る電子機器において、データ、充電電力及び給電電力が流れる経路を示す図である。
【図６】本発明の第１実施形態に係る電子機器の外観図である。
【図７】本発明の第１実施形態に係る電子機器において、データ送受信時の信号処理を示す図である。
【図８】本発明の第１実施形態に係る電子機器において、蓄電体の充電時及びデータ送信時の制御例を示すフローチャートである。
【図９】本発明の第２実施形態に係る電子機器が備える蓄電体、及び接続部の構成を示す図である。
【図１０】本発明の第３実施形態に係る電子機器が備える蓄電体、及び接続部の構成を示す図である。
【図１１】本発明の第４実施形態に係る電子機器の構成を示す図である。
【発明を実施するための形態】
【００１７】
以下、本発明に係る実施形態について、図面を参照しながら詳細に説明する。
【００１８】
（第１実施形態）
図１は、本発明の第１実施形態に係る電子機器１００の構成を示す図である。本実施形態に係る電子機器１００は、他の装置５００と電気的に接続するためのコネクタ１０１と、センサ等を搭載し電子機器１００の主たる機能を司る機能部１０４とを備える。
【００１９】
まず、コネクタ１０１の構成について説明する。
【００２０】
コネクタ１０１は、他の装置５００が備えるイヤホンジャック５０１に挿入して電気的接続を行う接続部１０２と、当該接続部１０２をイヤホンジャック５０１に挿入するときに利用者がコネクタ１０１を保持するための保持部１０３とを備える。
【００２１】
接続部１０２は、例えばＪＥＩＴＡ（電子情報技術産業協会）のＲＣ５３２５Ａ規格に準拠したφ３．５ｍｍの４極小形単頭プラグとすることができる。また、本実施形態では、図１において絶縁部２により電気的に絶縁されて配置される導電部１ａ乃至１ｄは、それぞれ左音声信号（Ｌ信号）端子、右音声信号（Ｒ信号）端子、ＧＮＤ端子、及びマイク信号端子に割り当てることができる。また、他の装置５００の仕様に合わせて、導電部１ｃ及び１ｄは、それぞれマイク信号端子及びＧＮＤ端子に割り当ててもよい。なお、本明細書において、接続部１０２の外形を構成する導電部１ａ乃至１ｄを含む部分を筐体６と定義している。
【００２２】
接続部１０２のより詳細な構成を図２（ａ）に示す。図２（ａ）は、図１の接続部１０２を中心軸方向に分解した分解斜視図である。導電部１ａ乃至１ｄは、それぞれ中心軸方向に伸びる端子７ａ乃至７ｄを有する。端子７ａ乃至７ｄは、図２（ｂ）に示すように導電部１ａ乃至１ｄからの信号をそれぞれ独立に保持部１０３及び機能部１０４の方向へと導くための接続部配線８に接続されている。なお、図２（ａ）において、蓄電体３は接続部１０２の内部に収納可能な大きさで描かれているが、図１のように蓄電体３の一部のみが接続部１０２内に配置されるように構成してもよい。
【００２３】
導電部１ａ乃至１ｄの材料には例えば黄銅を用い、金めっき又はニッケルめっき等を施すことができる。また、絶縁部２の材料には例えばポリアセタール樹脂を用いることができる。
【００２４】
なお、本実施形態の接続部１０２は、他の装置５００の仕様に合わせて、例えばＥＩＡ(Electronics Industries Alliance)のＥＩＡ−４５３規格に準拠したφ６．３ｍｍのいわゆるフォーンプラグ、又はＩＥＥＥ−１３９４等の、他の様々なコネクタに置換することが可能である。
【００２５】
保持部１０３は、蓄電体３への充電を制御する充電制御部４と、導電部１ａ及び１ｂを経由して他の装置５００から供給される音声信号の電力変換等を行う回路部５とを備える。また、蓄電体３は、その一部が接続部１０２内に配置され、他の部分が保持部１０３内に配置されている。なお、蓄電体３の配置はこの態様に限定されるものではなく、蓄電体３の一部が保持部１０３の内部等、コネクタ１０１内のいずれかの場所に配置されていればよい。
【００２６】
蓄電体３は、他の装置５００から供給される電力を充電する。蓄電体３には、例えば図３に示すような金属製の筒型ケース３ｄに封入された正極３ａ、負極３ｂ及びセパレータ３ｃを備えるリチウムイオン電池を用いることができるが、この態様には限定されない。蓄電体３は、例えばニッケル水素電池、ニッケルカドミウム電池等の他の二次電池によって構成してもよい。また、蓄電体３は、マンガン電池等の一次電池又はキャパシタによって構成してもよい。
【００２７】
充電制御部４は、他の装置５００との接続状態及び蓄電体３の充電量等を監視して、その結果に応じて、他の装置５００から蓄電体３への充電を制御する。充電制御部４は、例えばマイコンにより実現することができる。なお、充電制御部４の機能は、後述する機能部１０４が備える制御部１０等により実現するように構成してもよい。あるいは、充電制御部４は、他の装置５００に搭載されてもよい。
【００２８】
回路部５は、導電部１ａ及び１ｂを経由して他の装置５００から供給された交流電力である音声信号を、図４に示すＡＣ／ＤＣ回路５ａ及び波形整形器５ｂによって直流電力へと変換し、更に昇圧回路５ｃにより所定電圧まで昇圧を行う。昇圧後の電力は、充電制御部４によって蓄電体３に充電される。また、導電部１ｄを経由して他の装置５００から供給されたマイク電源供給用のＤＣ電力は、電力変換することなく、充電制御部４によって蓄電体３に充電される。なお、マイク電源供給用のＤＣ電力についても昇圧回路５ｃにより昇圧してから蓄電体３に供給するように構成してもよい。
【００２９】
次に、機能部１０４の構成について説明する。
【００３０】
機能部１０４は、電子機器１００の主たる機能を実現するための機能素子を備える。本実施形態において、機能部１０４は、機能素子としてセンサ１１ｂを有するセンサ部１１と、当該機能を実現するための各種制御を行う制御部１０と、センサ部１１等からのデータを記憶するための記憶部１２とを備える。コネクタ１０１及び機能部１０４は、隣接させて配置してもよいし、図１の配線１５により両者を電気的に結合することにより、離して配置してもよい。
【００３１】
なお、コネクタ１０１と機能部１０４とは必ずしも明確に分離されている必要はなく、例えばコネクタ１０１が機能部１０４を含むように構成してもよい。
【００３２】
ここで、蓄電体３への充電時、機能部１０４への給電時、及びデータ送信時における各信号の流れについて説明しておく。
【００３３】
図５において、機能部１０４への給電用の電力は、太い実線で示されている。コネクタ１０１が他の装置５００に接続部１０２経由で接続されているときは、他の装置５００からのＬ信号及びＲ信号が回路部５で所定の直流電力に変換されて機能部１０４に供給される。一方、コネクタ１０１が他の装置５００に接続されていないときは、充電制御部４が蓄電体３に充電された電力を放電させて機能部１０４に供給する。なお、コネクタ１０１が他の装置５００に接続されている場合にも、蓄電体３の充電量が十分に大きい場合には、蓄電体３から機能部１０４に給電するように構成してもよい。また、コネクタ１０１が他の装置５００に接続されている場合に、Ｌ信号及びＲ信号に加えて、又はＬ信号及びＲ信号に代えてマイク信号の電力を機能部１０４に給電するように構成してもよい。
【００３４】
図５において、蓄電体３への充電用の電力は、太い破線で示されている。電子機器１００が他の装置５００に接続部１０２経由で接続されているときは、他の装置５００からのＬ信号及びＲ信号が回路部５で所定の直流電力に変換されて蓄電体３に充電される。また、他の装置５００からのマイク給電用の直流電力が電力変換されずに蓄電体３に充電される。
【００３５】
図５において、他の装置５００から受信したデータ、及び他の装置５００に送信されるデータは、細い実線で示されている。機能部１０４は、記憶部１２内にデータを有しているときは、当該データを接続部１０２内の導電部１ｄ経由でマイク信号として送信する。また、機能部１０４は、他の装置５００からのデータを接続部１０２内の導電部１ａ、１ｂ経由でＬ信号及びＲ信号として受信する。なお、他の装置５００からデータを受信しているときは、制御部１０は、回路部５が直流電力への変換を行わないように制御する。このとき、他の装置５００から受信したデータは、電力変換されずに機能部１０４へと送られる。
【００３６】
本実施形態の電子機器１００の外観図を図６（ａ）に示す。コネクタ１０１の保持部１０３が接続部１０２の根元部分に隣接して配置され、動物の頭の形状を有するように形成されている。そして、保持部１０３に更に隣接して設けられた機能部１０４が接続部１０２の先端方向に折り返すように配置されている。機能部１０４は動物の胴の形状を有するように形成されている。図６（ｂ）は、電子機器１００の接続部１０２を他の装置５００のイヤホンジャック５０１に挿入した様子を示す。電子機器１００を他の装置５００に取り付けた状態では、機能部１０４が他の装置５００の表示部に平行となるように配置される。従って、電子機器１００を他の装置５００に接続しても際立った突出部が発生しないため、他の装置５００の携帯性に影響を与え難い。
【００３７】
本実施形態の電子機器１００を他の装置５００に接続したときのデータの流れを図７にブロック図で示す。機能部１０４の制御部１０は、他の装置５００から左音声信号（Ｌ信号）及び右音声信号（Ｒ信号）の形式で出力されたデータ信号を、接続部１０２の導電部１ａ及び１ｂを経由して受信する。この制御部１０が受信するデータは、例えば、センサ１１ｂの動作開始コマンド、記憶部１２からのデータ読み出しコマンド等である。制御部１０は、他の装置５００からセンサ１１ｂの動作開始コマンドを受信すると、センサ部１１が有するセンサマイコン１１ａに対してセンサ１１ｂの測定開始コマンドを送信する。また、制御部１０は、記憶部１２内にデータが存在する場合には、当該データをマイク（ＭＩＣ）信号の形式で接続部１０２の導電部１ｄ経由で送信する。
【００３８】
なお、センサ部１１が有するセンサ１１ｂは、例えば加速度センサ、ジャイロセンサ又は気圧センサとすることができる。これらのセンサを搭載することにより、例えば、歩行状態検出、走行状態検出、自転車走行状態検出、乗り物状態検出、睡眠状態検出、又は気圧状態検出等の機能を実現することができる。あるいは、センサ部１１が有するセンサ１１ｂは、紫外線量センサ、照度センサ、温度センサ、湿度センサ、距離測定センサ、糖度センサとしてもよい。さらには、センサ部１１が有するセンサ１１ｂは、脈拍センサ、血流センサ、血圧センサ等のバイタルセンサとしてもよい。
【００３９】
一方、他の装置５００が電子機器１００にデータを送信する場合には、まず送信データ生成部５０３が制御部５０２からのデータを所定の方式で変調し、誤り訂正符号の付加等を行って送信用データを生成する。次に音変換部５０４は、デジタル信号である送信用データをアナログ信号である音声信号（Ｌ信号及びＲ信号）に変換する。最後に送音部５０５は、音声信号の増幅及び出力インピーダンスのマッチング等を行い、電子機器１００側に出力する。出力された音声信号は、電子機器１００の接続部１０２が有する導電部１ａ及び１ｂを経由して機能部１０４へと送られる。また、他の装置５００が電子機器１００からデータを受信する場合には、電子機器１００の機能部１０４からの送信データが、アナログ信号であるマイク信号の形式で導電部１ｄを経由して他の装置５００の録音部５０８に入力される。録音部５０８は、受信した信号に対してバッファリング等を行い、音解析部５０７に送る。音解析部５０７は、アナログ信号であるマイク信号のＡ／Ｄ変換等を行い、変換後の信号を受信データ生成部５０６に送信する。受信データ生成部５０６は、音解析部５０７からの出力に対して誤り訂正及び復調等を行うことにより復号して受信データを生成する。復号された受信データは、制御部５０２によって所定のアプリケーションの作動に利用される。
【００４０】
次に、本実施形態の電子機器１００の充電及びデータ送受信時の制御例を図８にフローチャートにより示す。
【００４１】
電子機器１００の制御部１０は、コネクタ１０１が他の装置５００と接続されているか否かを判定する（ステップＳ１０１）。この接続の判定は、例えば他の装置５００のイヤホンジャック５０１の挿入口に設けられた２つの部材がコネクタ１０１の挿入により短絡した旨を他の装置５００から通知されることにより行うことができる。ステップＳ１０１においてコネクタ１０１が他の装置５００と接続されていると判定すると、制御部１０は充電制御部４に蓄電体３の充電制御を開始させる。一方、制御部１０は、コネクタ１０１が他の装置５００と接続されていないと判定すると、蓄電体３の充電及びデータの送受信を行うことができないため、処理を終了する。
【００４２】
他の装置５００との接続が検出されると、充電制御部４は、蓄電体３が満充電の状態であるか否かを判定する（ステップＳ１０２）。ステップＳ１０２における、満充電の状態であるか否かの判定は、蓄電体３の種類によって異なる。例えばリチウムイオン電池の場合には、充電電圧及び充電電流を管理することにより満充電の判定を行うことができる。
【００４３】
ステップＳ１０２において蓄電体３が満充電ではないと判定すると、充電制御部４は、まずマイク（ＭＩＣ）信号を利用して充電を開始させる（ステップＳ１０３）。コネクタ１０１をいわゆるプラグインパワー対応のマイク端子を備える４極のイヤホンジャック５０１に挿入すると、接続部１０２のマイク端子に対応する導電部１ｄには、マイクに電源を供給するための所定の電圧が供給される。この所定の電圧を蓄電体３に供給することにより充電を行う。なお、充電制御部４は導電部１ｄにかかる電圧を監視している。充電制御部４は、マイク端子に所定の電圧が観測された場合にのみ蓄電体３への充電を開始させる。
【００４４】
一方、ステップＳ１０２において、蓄電体３が満充電の状態であると判定すると、制御部１０は、充電に関するステップＳ１０３乃至Ｓ１０６を実行しないで、データの送信に関するステップ（ステップＳ１０７以降）を実行する。
【００４５】
ステップＳ１０３を実行すると、制御部１０は接続部１０２の導電部１ａ及び１ｂが音声信号（Ｌ信号及びＲ信号）を受信しているか否かを判定する（ステップＳ１０４）。制御部１０は、音声信号を受信していないと判定すると、他の装置５００に対して音声信号の出力を要求する（ステップＳ１０５）。この音声信号の要求は、例えば制御部１０が音声信号の出力を要求するためのコマンドをマイク信号として導電部１ｄ経由で他の装置５００に送信することにより行われる。充電制御部４は、音声信号を受信する状態になると（ステップＳ１０４においてＹｅｓの場合）、音声信号から蓄電体３への充電を開始させる（ステップＳ１０６）。音声信号はアナログの交流信号であるため、先述のようにＡＣ／ＤＣ変換、波形整形、及び昇圧を行うことにより、充電に適した所定電圧の直流電圧へと電力変換を行うことが可能である。
【００４６】
次に制御部１０は、記憶部１２に未送信のデータが存在するか否かを判定する（ステップＳ１０７）。本実施形態において、記憶部１２内のデータとは、例えばセンサ１１ｂによって測定された測定結果等である。制御部１０は、記憶部１２内にデータが存在すると判定すると、接続信号を導電部１ｄ経由で他の装置５００に対して送信する（ステップＳ１０８）。接続信号とは、電子機器１００が有するデータを送信するために他の装置５００に対して接続を要求する信号である。一方、制御部１０は、記憶部１２内にデータが存在しないと判定すると、データ送信に関するステップ（ステップＳ１０８乃至Ｓ１１０）を実行しないで、ステップＳ１１１の実行を行う。
【００４７】
他の装置５００が正常に動作している場合には、ステップＳ１０８において電子機器１００が送信した接続信号を受信すると、他の装置５００の制御部５０２は、電子機器１００に対してデータリクエスト信号を送信する。電子機器１００の制御部１０は、ステップＳ１０８を実行した後、データリクエスト信号を受信したか否かを判定する（ステップＳ１０９）。制御部１０は、データリクエスト信号を受信したと判定すると、記憶部１２内のデータを他の装置５００に対して送信する（ステップＳ１１０）。一方、データリクエスト信号を受信していないと判定すると、制御部１０は、再度接続信号を送信して（ステップＳ１０８に戻る）、データリクエスト信号を受信するまで待機する。
【００４８】
制御部１０は、記憶部１２内のデータの送信を終了すると、蓄電体３が満充電の状態になっているか否かを判定する（ステップＳ１１１）。制御部１０は、蓄電体３が満充電の状態であると判定すると、充電動作を終了する（ステップＳ１１２）。次に、制御部１０は、ステップＳ１０７の実行から所定時間が経過するまで待機する（ステップＳ１１３）。すなわち、制御部１０は、所定時間ごとに記憶部１２内にデータが有るか否かを判定し、データがある場合には、他の装置５００に対して送信する。
【００４９】
ステップＳ１１３において所定時間経過したと判定すると、制御部１０は、電子機器１００のコネクタ１０１が他の装置５００と接続されているか否かを判定する（ステップＳ１１４）。このステップＳ１１４での判定は、ステップＳ１０１での判定と同じ方法によって行うことができる。制御部１０は、依然としてコネクタ１０１が他の装置５００と接続されていると判定すると、ステップＳ１０７に戻って記憶部１２内のデータの有無を判定する。一方、制御部１０は、ステップＳ１１４においてコネクタ１０１と他の装置５００とが接続されていないと判定すると、処理を終了する。
【００５０】
なお、制御部１０は、電子機器１００が他の装置５００と未接続の状態になっても、直ちに電子機器１００の動作を停止させることなく、例えば１０〜１２時間はセンサ１１ｂによる計測を継続し、測定結果を記憶部１２に記憶する。そして、制御部１０は、同時に充電制御部４を経由して蓄電体３の充電量を監視して、充電量が所定値以下となった場合には、機能部１０４の動作を停止させて、電子機器１００をスタンバイ状態へと移行させる。このような制御を行うことにより、電子機器１００は、他の装置５００から電力供給を受けていない場合にも、内部の蓄電体３からの放電により機能部１０４を動作させることができる。これにより、電子機器１００は、必要最小限の電力により機能部１０４を動作させることが可能となる。
【００５１】
以上述べたように、本実施形態によれば、電子機器１００が機能部１０４と蓄電体３とコネクタ１０１とを備え、蓄電体３の少なくとも一部がコネクタ１０１の内部に配置されるように構成した。これにより、これまで蓄電体３の配置場所として活用されていなかったコネクタ１０１の内部に蓄電体３を配置するため、蓄電体３を備えていながら電子機器１００全体の体積の増加を少なくできる。
【００５２】
また、本実施形態によれば、蓄電体３は特に接続部１０２の内部に配置されるように構成した。これにより、蓄電体３を備えることによる電子機器１００の体積の増加を少なくできる。
【００５３】
また、本実施形態によれば、蓄電体３への充電は、他の装置５００から接続部１０２を経由した給電により行われるように構成した。これにより、電子機器１００の接続部１０２を他の装置５００のジャックに挿入しておくだけで蓄電体３への充電が可能となる。
【００５４】
また、本実施形態によれば、他の装置５００から蓄電体３への充電は、コネクタ１０１と他の装置５００との電気的な接続を検出したときに、充電制御部４が充電を開始させるように構成した。これにより、適切なタイミングで充電を開始させることができる。
【００５５】
また、本実施形態によれば、コネクタ１０１と他の装置５００とが電気的に接続されている場合には、他の装置５００又は蓄電体３の少なくとも一方から給電され、コネクタ１０１が他の装置５００から電気的に切断されると、蓄電体３から給電されるように構成した。これにより、他の装置５００に依存しないで電子機器１００を単独で動作させることが可能となるため、利用者は他の装置５００を常に動作させておく必要が無い。従って、機能部１０４の動作に必要な電力を削減することができる。
【００５６】
また、本実施形態によれば、機能部１０４がセンサ部１１と記憶部１２とを有し、記憶部１２がセンサ部１１で検出されたセンサ情報を記憶し、コネクタ１０１が他の装置５００と接続されると、センサ情報が接続部１０２を介して他の装置５００に送信されるように構成した。これにより、他の装置５００に依存しないで電子機器１００が有するセンサ１１ｂを単独で動作させ、測定結果を記憶させ、定期的に他の装置５００に送信することが可能となる。そのため、利用者は他の装置５００を常に動作させておく必要が無い。従って、機能部１０４の動作に必要な電力を削減することができる。
【００５７】
（第２実施形態）
図９は、本発明の第２実施形態に係る電子機器が備える蓄電体３３、及び蓄電体３３を内蔵した接続部１０２の構成を示す図である。なお、本実施形態は、蓄電体３３の構成が異なる他は、第１実施形態と同様の構成を有している。従って、以下の説明では、蓄電体３３の構成に絞って説明する。
【００５８】
図９（ａ）は、本実施形態に係る電子機器が備える蓄電体３３の構成を示している。蓄電体３３は、円筒形状に形成された絶縁膜３３ｄの内部に、正極、負極及びセパレータを重ね合せた積層フィルム３３ａを巻回し電解液３３ｅと共に封入した構成を有する。絶縁膜３３ｄは、積層フィルム３３ａ及び電解液３３ｅと導電部１ａ乃至１ｄとを電気的に絶縁する。なお、絶縁膜３３ｄの材質としては、例えばポリプロピレン等を用いることができる。絶縁膜３３ｄ内に封入した蓄電体３３は、例えば図９（ｂ）の導電部１ａ乃至１ｄ内に収納することにより、衝撃等から保護することができる。
【００５９】
以上述べたように、本実施形態によれば、正極、負極及びセパレータを重ねた積層フィルム３３ａを電解液３３ｅと共に絶縁膜３３ｄの内部に封入した蓄電体３３を接続部１０２の内部に配置するように構成した。これにより、第１実施形態のように蓄電体３３の容器を高剛性の筒型ケースとしなくても衝撃等から蓄電体３３を保護することが可能となるため、部品点数を削減することができる。
【００６０】
（第３実施形態）
図１０は、本発明の第３実施形態に係る電子機器が備える蓄電体４３、及び蓄電体４３を内蔵した接続部１０２の構成を示す図である。なお、本実施形態は、蓄電体４３の構成が異なる他は、第１実施形態と同様の構成を有している。従って、以下の説明では、蓄電体４３の構成に絞って説明する。
【００６１】
図１０（ａ）は、本実施形態に係る電子機器が備える蓄電体４３の構成を示している。蓄電体４３は、シート状に形成されたシート電池である。蓄電体４３は、一辺に２つの電極４３ｂを備えるが、この電極の位置は任意に選択が可能である。図１０（ｂ）は、この蓄電体４３を巻回して接続部１０２内に収めた状態を示す図である。このように巻回した蓄電体４３を、導電部１ａ乃至１ｄ内に収納することにより、衝撃等から保護することができる。
【００６２】
なお、蓄電体４３は巻回して接続部１０２の内部に配置する他、折り畳んで接続部１０２の内部に配置するように構成してもよい。
【００６３】
以上述べたように、本実施形態によれば、シート電池を巻回し、又は折り畳んだ蓄電体４３を接続部１０２の内部に配置するように構成した。これにより、第１実施形態のように蓄電体４３の容器を高剛性の筒型ケースとしなくても衝撃等から蓄電体４３を保護することが可能となるため、部品点数を削減することができる。
【００６４】
（第４実施形態）
図１１（ａ）は、本発明の第４実施形態に係る電子機器２００の構成を示す図である。本実施形態に係る電子機器２００は、他の装置６００と電気的に接続するためのコネクタ２０１と、センサ等を搭載し電子機器２００の主たる機能を司る機能部２０４とを備える。なお、電子機器２００は、接続部２０２の構成が異なる他は、第１実施形態と近似する構成を有している。従って、以下の説明では、接続部２０２の構成を中心に説明する。
【００６５】
接続部２０２は、導電性部材からなる筐体２６の内部に、蓄電体２３及び４本の導電部２１を有する。接続部２０２は、例えばＵＳＢ(Universal Serial Bus)  Ｔｙｐｅ−Ａ  Ｐｌｕｇとすることができる。図１１（ｂ）は、接続部２０２を先端側から見たより詳細な構成である。矩形状の開口を有する筐体２６の内部に、４本の導電部２１が筐体２６の長手方向に等間隔で配置されている。図１１（ｂ）において、導電部２１の左側には、蓄電体２３が配置されている。蓄電体２３が配置されている領域は、通常のＵＳＢ  Ｔｙｐｅ−Ａ  Ｐｌｕｇでは筐体２６と導電部２１とを絶縁する部材が配置されている。この絶縁部材が配置される領域に蓄電体２３を配置することにより、蓄電体２３の体積を増加させても電子機器２００の体積の増加を抑制することができる。なお、第１実施形態と同様に蓄電体２３の一部のみが筐体２６の内部に配置されるように構成してもよい。
【００６６】
電子機器２００が接続される他の装置６００には、接続部２０２が挿入されるＵＳＢレセプタクル６０１が設けられている。なお、本実施形態についても他の装置６００が有するインタフェースに合わせて接続部２０２の仕様を変更可能である。
【００６７】
本実施形態の接続部２０２（ＵＳＢ  Ｔｙｐｅ−Ａ  Ｐｌｕｇ）は、４本の導電部２１を有しており、それぞれ＋５Ｖ，データ（＋），データ（−），ＧＮＤに割り当てられている。そして、＋５Ｖは直流電圧であり、データ（＋）及びデータ（−）はそれぞれ逆極性の交流信号である。従って、蓄電体２３を充電する場合には、第１実施形態におけるＬ信号及びＲ信号の代わりに本実施形態のデータ（＋）及びデータ（−）信号を利用し、マイク信号の代わりに本実施形態の＋５Ｖを利用することにより、第１実施形態と同様に充電を行うことが可能である。なお、データの送受信については、第１実施形態のように、アナログ信号を介する必要はなく、電子機器２００と他の装置６００との間で直接デジタルデータの送受信を行うことが可能である。
【００６８】
以上述べたように、本実施形態の接続部２０２（ＵＳＢ  Ｔｙｐｅ−Ａ  Ｐｌｕｇ）のように導電部２１が比較的体積が大きい筐体２６により覆われているような場合には、筐体２６の内部に体積が大きい蓄電体２３を収容することが可能となる。この構成により、蓄電体２３を備えながら、電子機器２００の体積の増加を少なくできる。
【００６９】
本発明を諸図面及び実施例に基づき説明してきたが、当業者であれば本開示に基づき種々の変形又は修正を行うことが容易であることに注意されたい。従って、これらの変形又は修正は本発明の範囲に含まれることに留意されたい。例えば、各構成部、各ステップなどに含まれる機能などは論理的に矛盾しないように再配置可能であり、複数の構成部及びステップなどを１つに組み合わせたり、或いは分割したりすることが可能である。
【符号の説明】
【００７０】
１ａ，１ｂ，１ｃ，１ｄ  導電部
２        絶縁部
３        蓄電体
３ａ      正極
３ｂ      負極
３ｃ      セパレータ
３ｄ      筒型ケース
４        充電制御部
５        回路部
５ａ      ＡＣ／ＤＣ回路
５ｂ      波形整形器
５ｃ      昇圧回路
６        筐体
７ａ，７ｂ，７ｃ，７ｄ  端子
８        接続部配線
１０      制御部
１１      センサ部
１１ａ    センサマイコン
１１ｂ    センサ
１２      記憶部
１５      配線
２１      導電部
２３      蓄電体
２４      充電制御部
２５      回路部
２６      筐体
３０      制御部
３１      センサ部
３２      記憶部
３５      配線
３３      蓄電体
３３ａ    積層フィルム
３３ｄ    絶縁膜
３３ｅ    電解液
４３      蓄電体
４３ａ    シート電池
４３ｂ    電極
１００    電子機器
１０１    コネクタ
１０２    接続部
１０３    保持部
１０４    機能部
２００    電子機器
２０１    コネクタ
２０２    接続部
２０３    保持部
２０４    機能部
５００    他の装置
５０１    イヤホンジャック
５０２    制御部
５０３    送信データ生成部
５０４    音変換部
５０５    送音部
５０６    受信データ生成部
５０７    音解析部
５０８    録音部
６００    他の装置
６０１    ＵＳＢレセプタクル
【図１】
2016207501.tif 000003
【図２】
2016207501.tif 000004
【図３】
2016207501.tif 000005
【図４】
2016207501.tif 000006
【図５】
2016207501.tif 000007
【図６】
2016207501.tif 000008
【図７】
2016207501.tif 000009
【図８】
2016207501.tif 000010
【図９】
2016207501.tif 000011
【図１０】
2016207501.tif 000012
【図１１】
2016207501.tif 000013